(57)【特許請求の範囲】
【請求項１】
通常モードと通常モードよりも電力消費が少ない省エネルギーモードとの２種類の動作モードを有する負荷に直流電圧を供給する電源制御装置であって、
第１の直流電圧を生成する第１のコンバーターと、
前記第１のコンバーターから受電して、前記第１の直流電圧よりも低い第２の直流電圧をスイッチング制御によって生成する第２のコンバーターと、
前記第１のコンバーター及び前記第２のコンバーターから受電して、前記第２の直流電圧よりも低い第３の直流電圧を生成する第３のコンバーターと、
通常モードから省エネルギーモードに移行する際に、前記第２のコンバーターから前記第３のコンバーターへの給電を遮断して、前記第１のコンバーターから前記第３のコンバーターへ給電させる切替え手段と、
前記第１のコンバーターの出力電圧を、前記第３のコンバーターの許容入力電圧範囲内まで低下させる電圧制御手段と、を備え、
前記切替え手段は、前記電圧制御手段が、前記第１のコンバーターの出力電圧を、前記第３のコンバーターの許容入力電圧範囲内まで低下させてから、前記第１のコンバーターから前記第３のコンバーターへ給電させる
ことを特徴とする電源制御装置。
【請求項２】
前記第１のコンバーターは、ＡＣ／ＤＣコンバーターとＤＣ／ＤＣコンバーターとの何れかである
ことを特徴とする請求項１に記載の電源制御装置。
【請求項３】
前記第２のコンバーターは、複数のＤＣ／ＤＣコンバーターが縦続接続されてなる
ことを特徴とする請求項１又は２に記載の電源制御装置。
【請求項４】
前記電圧制御手段は、前記第１のコンバーターの出力電圧を、前記第２のコンバーターの許容入力電圧範囲内にも入るように、低下させる
ことを特徴とする請求項３に記載の電源制御装置。
【請求項５】
前記切替え手段は、前記第１のコンバーターから前記第３のコンバーターへ給電させる際には、前記第２のコンバーターによる第２の直流電圧の生成を停止する
ことを特徴とする請求項１から３の何れかに記載の電源制御装置。
【請求項６】
前記第２のコンバーターは、スイッチング制御によって第２の直流電圧を生成し、
前記切替え手段は、前記スイッチング制御を停止させることによって、前記第２のコンバーターによる第２の直流電圧の生成を停止する
ことを特徴とする請求項５に記載の電源制御装置。
【請求項７】
前記第１のコンバーターから受電して、前記第１の直流電圧よりも低い第４の直流電圧をスイッチング制御によって生成する第４のコンバーターと、
前記第１のコンバーター及び前記第４のコンバーターから選択的に受電して、前記第４の直流電圧よりも低い第５の直流電圧を生成する第５のコンバーターと、を備え、
前記切替え手段は、前記第２のコンバーターから前記第３のコンバーターへの給電を遮断して、前記第１のコンバーターから前記第３のコンバーターへ給電させる切替えと独立して、前記第４のコンバーターから前記第５のコンバーターへの給電を遮断して、前記第１のコンバーターから前記第５のコンバーターへ給電させる切替えを行う
ことを特徴とする請求項１から６の何れかに記載の電源制御装置。
【請求項８】
前記第４のコンバーターは、複数のＤＣ／ＤＣコンバーターが縦続接続されてなる
ことを特徴とする請求項７に記載の電源制御装置。
【請求項９】
前記第１のコンバーターの出力電圧を、前記第５のコンバーターの許容入力電圧範囲内まで低下させる第２の電圧制御手段を備え、
前記切替え手段は、前記第２の電圧制御手段が、前記第１のコンバーターの出力電圧を、前記第５のコンバーターの許容入力電圧範囲内まで低下させてから、前記第１のコンバーターから前記第５のコンバーターへ給電させる
ことを特徴とする請求項７又は８に記載の電源制御装置。
【請求項１０】
通常モードと通常モードよりも電力消費が少ない省エネルギーモードとの２種類の動作モードを有する負荷に直流電圧を供給する電源制御装置であって、
第１の直流電圧を生成する第１のコンバーターと、
前記第１のコンバーターから受電して、前記第１の直流電圧よりも低い第２の直流電圧をスイッチング制御によって生成する第２のコンバーターと、
前記第１のコンバーター及び前記第２のコンバーターから受電して、前記第２の直流電圧よりも低い第３の直流電圧を生成する第３のコンバーターと、
通常モードから省エネルギーモードに移行する際に、前記第２のコンバーターから前記第３のコンバーターへの給電を遮断して、前記第１のコンバーターから前記第３のコンバーターへ給電させる切替え手段と、
前記第１のコンバーターから受電して、前記第１の直流電圧よりも低い第４の直流電圧をスイッチング制御によって生成する第４のコンバーターと、
前記第１のコンバーター及び前記第４のコンバーターから選択的に受電して、前記第４の直流電圧よりも低い第５の直流電圧を生成する第５のコンバーターと、
前記第１のコンバーターの出力電圧を、前記第５のコンバーターの許容入力電圧範囲内まで低下させる第２の電圧制御手段と、を備え、
前記切替え手段は、前記第２のコンバーターから前記第３のコンバーターへの給電を遮断して、前記第１のコンバーターから前記第３のコンバーターへ給電させる切替えと独立して、前記第４のコンバーターから前記第５のコンバーターへの給電を遮断して、前記第１のコンバーターから前記第５のコンバーターへ給電させる切替えを行い、更に、
前記切替え手段は、前記第２の電圧制御手段が、前記第１のコンバーターの出力電圧を、前記第５のコンバーターの許容入力電圧範囲内まで低下させてから、前記第１のコンバーターから前記第５のコンバーターへ給電させる
ことを特徴とする電源制御装置。
【請求項１１】
前記第１のコンバーターは、ＡＣ／ＤＣコンバーターとＤＣ／ＤＣコンバーターとの何れかである
ことを特徴とする請求項１０に記載の電源制御装置。
【請求項１２】
前記第２のコンバーターは、複数のＤＣ／ＤＣコンバーターが縦続接続されてなる
ことを特徴とする請求項１０又は１１に記載の電源制御装置。
【請求項１３】
前記切替え手段は、前記第１のコンバーターから前記第３のコンバーターへ給電させる際には、前記第２のコンバーターによる第２の直流電圧の生成を停止する
ことを特徴とする請求項１０から１２の何れかに記載の電源制御装置。
【請求項１４】
前記第２のコンバーターは、スイッチング制御によって第２の直流電圧を生成し、
前記切替え手段は、前記スイッチング制御を停止させることによって、前記第２のコンバーターによる第２の直流電圧の生成を停止する
ことを特徴とする請求項１３に記載の電源制御装置。
【請求項１５】
前記第４のコンバーターは、複数のＤＣ／ＤＣコンバーターが縦続接続されてなる
ことを特徴とする請求項１０に記載の電源制御装置。
【請求項１６】
請求項１から１５の何れかに記載の電源制御装置を備える
ことを特徴とする画像形成装置。
【請求項１７】
モーターを含む駆動系部品を備え、
前記第１のコンバーターは、前記駆動系部品に給電する
ことを特徴とする請求項１６に記載の画像形成装置。
【請求項１８】
画像形成動作を制御する制御基板を備え、
前記第２のコンバーター及び第３のコンバーターは前記制御基板に給電する
ことを特徴とする請求項１６又は１７に記載の画像形成装置。
【発明の詳細な説明】
【技術分野】
【０００１】
本発明は、電源制御装置及び画像形成装置に関し、特に、電源制御装置におけるスイッチングロスを低減する技術に関する。
【背景技術】
【０００２】
近年、省エネ意識の高まりと共に、ＥｒＰ指令（Energy related Products Directive, 2009/125/EC）や国際エネルギースタープログラム等の環境規格基準が強化され、エネルギー関連製品における消費電力の低減や電源効率の改善が喫緊の課題となっている。このため、画像形成装置に給電する電源制御装置もまた電源効率を改善する必要に迫られている。
【０００３】
一般的な画像形成装置の電源制御装置は、まず、交流電源からＡＣ／ＤＣコンバーターにて２４Ｖの直流電圧を生成し、更に、当該２４ＶからＤＣ／ＤＣコンバーターを用いて低電圧の５Ｖや３．３Ｖ等を生成する。また、ＤＣ／ＤＣコンバーターの入力電圧と出力電圧との電位差が大きいと電源効率が低下することが知られている。
この点に着目して、例えば、ＤＣ／ＤＣコンバーターに供給されるＡＣ／ＤＣコンバーターの出力電圧を監視し、ＡＣ／ＤＣコンバーターの出力電圧を低下させる技術が提案されている（特許文献１を参照）。このようにすれば、ＤＣ／ＤＣコンバーターの電源効率を高めることができる。
【先行技術文献】
【特許文献】
【０００４】
【特許文献１】特表２０１２−５０５６３１号公報
【特許文献２】特開２０１３−０３８８８２号公報
【発明の概要】
【発明が解決しようとする課題】
【０００５】
電源制御装置において、５Ｖや３．３Ｖ、１．８Ｖ等の低電圧を生成する場合に、それぞれＡＣ／ＤＣコンバーターが出力する２４ＶからＤＣ／ＤＣコンバーターを用いて生成しようとすると、高耐圧のＤＣ／ＤＣコンバーターを用いなければならなくなるので、部品コストが高くなってしまう。このため、５Ｖから３．３Ｖを生成し、３．３Ｖから１．８Ｖを生成する等、ＤＣ／ＤＣコンバーターを縦続接続する構成が採用される。
【０００６】
しかしながら、このような縦続構成においては、例えば、３．３Ｖを生成する際に３．３Ｖを生成するＤＣ／ＤＣコンバーターにおけるスイッチングロスのみならず、中間電圧である５Ｖを生成するＤＣ／ＤＣコンバーターにおけるスイッチングロスも発生する。すなわち、低電圧を生成するための電力ロスに中間電圧を生成する電力ロスも加わってしまうため消費電力が増大する。
【０００７】
上記の従来技術では、ＡＣ／ＤＣコンバーターの出力電圧を低下させるのみであり、更に後段にＤＣ／ＤＣコンバーターが接続される場合、後段のＤＣ／ＤＣコンバーターの効率を改善することができない。したがって、上述のような消費電力の増大は、従来技術を適用することによっては解消することができない。
本発明は、上述のような問題に鑑みて為されたものであって、ＤＣ／ＤＣコンバーターを多段接続した際に発生する、中間電圧を生成するＤＣ／ＤＣコンバーターのスイッチングロスによる電源効率の低下を抑えることができる電源制御装置及び画像形成装置を提供することを目的とする。
【課題を解決するための手段】
【０００８】
上記目的を達成するため、本発明に係る電源制御装置は、通常モードと通常モードよりも電力消費が少ない省エネルギーモードとの２種類の動作モードを有する負荷に直流電圧を供給する電源制御装置であって、第１の直流電圧を生成する第１のコンバーターと、前記第１のコンバーターから受電して、前記第１の直流電圧よりも低い第２の直流電圧をスイッチング制御によって生成する第２のコンバーターと、前記第１のコンバーター及び前記第２のコンバーターから受電して、前記第２の直流電圧よりも低い第３の直流電圧を生成する第３のコンバーターと、通常モードから省エネルギーモードに移行する際に、前記第２のコンバーターから前記第３のコンバーターへの給電を遮断して、前記第１のコンバーターから前記第３のコンバーターへ給電させる切替え手段と、前記第１のコンバーターの出力電圧を、前記第３のコンバーターの許容入力電圧範囲内まで低下させる電圧制御手段と、を備え、前記切替え手段は、前記電圧制御手段が、前記第１のコンバーターの出力電圧を、前記第３のコンバーターの許容入力電圧範囲内まで低下させてから、前記第１のコンバーターから前記第３のコンバーターへ給電させることを特徴とする。
この場合において、前記第１のコンバーターは、ＡＣ／ＤＣコンバーターとＤＣ／ＤＣコンバーターとの何れかであってもよい。
また、前記第２のコンバーターは、複数のＤＣ／ＤＣコンバーターが縦続接続されてなってもよい。
また、前記電圧制御手段は、前記第１のコンバーターの出力電圧を、前記第２のコンバーターの許容入力電圧範囲内にも入るように、低下させてもよい。
また、前記切替え手段は、前記第１のコンバーターから前記第３のコンバーターへ給電させる際には、前記第２のコンバーターによる第２の直流電圧の生成を停止してもよい。
また、前記第２のコンバーターは、スイッチング制御によって第２の直流電圧を生成し、前記切替え手段は、前記スイッチング制御を停止させることによって、前記第２のコンバーターによる第２の直流電圧の生成を停止してもよい。
また、本発明に係る電源制御装置は、前記第１のコンバーターから受電して、前記第１の直流電圧よりも低い第４の直流電圧をスイッチング制御によって生成する第４のコンバーターと、前記第１のコンバーター及び前記第４のコンバーターから選択的に受電して、前記第４の直流電圧よりも低い第５の直流電圧を生成する第５のコンバーターと、を備え、前記切替え手段は、前記第２のコンバーターから前記第３のコンバーターへの給電を遮断して、前記第１のコンバーターから前記第３のコンバーターへ給電させる切替えと独立して、前記第４のコンバーターから前記第５のコンバーターへの給電を遮断して、前記第１のコンバーターから前記第５のコンバーターへ給電させる切替えを行ってもよい。
また、前記第４のコンバーターは、複数のＤＣ／ＤＣコンバーターが縦続接続されてなってもよい。
また、前記第１のコンバーターの出力電圧を、前記第５のコンバーターの許容入力電圧範囲内まで低下させる第２の電圧制御手段を備え、前記切替え手段は、前記第２の電圧制御手段が、前記第１のコンバーターの出力電圧を、前記第５のコンバーターの許容入力電圧範囲内まで低下させてから、前記第１のコンバーターから前記第５のコンバーターへ給電させてもよい。
また、本発明に係る電源制御装置は、通常モードと通常モードよりも電力消費が少ない省エネルギーモードとの２種類の動作モードを有する負荷に直流電圧を供給する電源制御装置であって、第１の直流電圧を生成する第１のコンバーターと、前記第１のコンバーターから受電して、前記第１の直流電圧よりも低い第２の直流電圧をスイッチング制御によって生成する第２のコンバーターと、前記第１のコンバーター及び前記第２のコンバーターから受電して、前記第２の直流電圧よりも低い第３の直流電圧を生成する第３のコンバーターと、通常モードから省エネルギーモードに移行する際に、前記第２のコンバーターから前記第３のコンバーターへの給電を遮断して、前記第１のコンバーターから前記第３のコンバーターへ給電させる切替え手段と、前記第１のコンバーターから受電して、前記第１の直流電圧よりも低い第４の直流電圧をスイッチング制御によって生成する第４のコンバーターと、前記第１のコンバーター及び前記第４のコンバーターから選択的に受電して、前記第４の直流電圧よりも低い第５の直流電圧を生成する第５のコンバーターと、前記第１のコンバーターの出力電圧を、前記第５のコンバーターの許容入力電圧範囲内まで低下させる第２の電圧制御手段と、を備え、前記切替え手段は、前記第２のコンバーターから前記第３のコンバーターへの給電を遮断して、前記第１のコンバーターから前記第３のコンバーターへ給電させる切替えと独立して、前記第４のコンバーターから前記第５のコンバーターへの給電を遮断して、前記第１のコンバーターから前記第５のコンバーターへ給電させる切替えを行い、更に、前記切替え手段は、前記第２の電圧制御手段が、前記第１のコンバーターの出力電圧を、前記第５のコンバーターの許容入力電圧範囲内まで低下させてから、前記第１のコンバーターから前記第５のコンバーターへ給電させることを特徴とする。
この場合において、前記第１のコンバーターは、ＡＣ／ＤＣコンバーターとＤＣ／ＤＣコンバーターとの何れかであってもよい。
また、前記第２のコンバーターは、複数のＤＣ／ＤＣコンバーターが縦続接続されてなってもよい。
また、前記切替え手段は、前記第１のコンバーターから前記第３のコンバーターへ給電させる際には、前記第２のコンバーターによる第２の直流電圧の生成を停止することを特徴とする請求項１０から１２の何れかに記載の電源制御装置。
また、前記第２のコンバーターは、スイッチング制御によって第２の直流電圧を生成し、前記切替え手段は、前記スイッチング制御を停止させることによって、前記第２のコンバーターによる第２の直流電圧の生成を停止してもよい。
また、前記第４のコンバーターは、複数のＤＣ／ＤＣコンバーターが縦続接続されてなってもよい。
また、本発明に係る画像形成装置は、本発明に係る電源制御装置を備えることを特徴とする。
この場合において、モーターを含む駆動系部品を備え、前記第１のコンバーターは、前記駆動系部品に給電してもよい。
また、画像形成動作を制御する制御基板を備え、前記第２のコンバーター及び第３のコンバーターは前記制御基板に給電してもよい。
【発明の効果】
【０００９】
このようにすれば、省エネモード時において、第３のコンバーターは、第２の直流電圧を要することなく、第１の直流電圧から直接、第３の直流電圧を生成するので、第２の直流電圧を生成するためのスイッチングロスを低減することができる。従って、電源効率を改善し、消費電力を低減することができる。
【図面の簡単な説明】
【００１０】
【図１】本発明の第１の実施の形態に係る画像形成装置の主要な構成を示す図である。
【図２】第１の実施の形態に係る電源制御装置１００の主要な構成を示す図である。
【図３】第１の実施の形態に係る電源制御装置１００のモード切替え動作を示すタイミングチャートである。
【図４】第２の実施の形態に係る電源制御装置１００の主要な構成を示す図である。
【図５】第２の実施の形態に係る電源制御装置１００のモード切替え動作を示すタイミングチャートである。
【図６】第３の実施の形態に係る電源制御装置１００の主要な構成を示す図である。
【図７】第３の実施の形態に係る電源制御装置１００のモード切替え動作を示すタイミングチャートである。
【図８】第４の実施の形態に係る電源制御装置１００の主要な構成を示す図である。
【図９】第４の実施の形態に係る電源制御装置１００のモード切替え動作を示すタイミングチャートである。
【図１０】第５の実施の形態に係る電源制御装置１００の主要な構成を示す図である。
【図１１】動作モード毎に給電先を例示する表である。
【図１２】第５の実施の形態に係る電源制御装置１００の第１の省エネモードへの切替え動作を示すタイミングチャートである。
【図１３】第５の実施の形態に係る電源制御装置１００の第２の省エネモードへの切替え動作を示すタイミングチャートである。
【図１４】第６の実施の形態に係る電源制御装置１００の主要な構成を示す図である。
【図１５】第６の実施の形態に係る電源制御装置１００の第３の省エネモードへの切替え動作を示すタイミングチャートである。
【図１６】第６の実施の形態に係る電源制御装置１００の第４の省エネモードへの切替え動作を示すタイミングチャートである。
【発明を実施するための形態】
【００１１】
以下、本発明に係る電源制御装置及び画像形成装置の実施の形態について、図面を参照しながら説明する。
［１］第１の実施の形態
まず、本発明の第１の実施の形態について説明する。
本実施の形態に係る電源制御装置は画像形成装置に内蔵されており、画像形成装置を構成する各部に給電する。
【００１２】
（１）画像形成装置の構成
本実施の形態に係る画像形成装置の構成について説明する。
図１は、本実施の形態に係る画像形成装置の主要な構成を示す図である。図１に示されるように、画像形成装置１は、所謂タンデム型の複合機（MFP: Multi-Function Peripheral）である。画像形成装置１は電源制御装置１００を内蔵しており、電源制御装置１００は交流電源１２０から交流電力の供給を受けて、画像形成装置１を構成する各装置へ直流電圧を供給する。
【００１３】
画像形成装置１が備える画像読取部１３０は、原稿を読み取って画像データを生成する。制御部１０５は、ユーザーによる複写ジョブや他の装置からのプリントジョブ、ファクシミリ受信による印刷ジョブを受け付けると、作像部１０１Ｙ〜１０１Ｋは、制御部１０５の制御の下、Ｙ（イエロー）、Ｍ（マゼンタ）、Ｃ（シアン）、Ｋ（ブラック）各色のトナー像を形成する。
【００１４】
例えば、作像部１０１Ｙにおいて、帯電装置１１１は感光体ドラム１１０の外周面を一様に帯電させる。光書込み装置１１２は、制御部１０５の制御の下、感光体ドラム１１０の外周面を露光して、静電潜像を形成する。現像装置１１３は、トナーを供給して、静電潜像を現像（顕像化）する。１次転写ローラー１１４は、感光体ドラム１１０上のトナー像を中間転写ベルト１０２へ静電転写（１次転写）する。
【００１５】
このようにして、作像部１０１Ｙ〜１０１Ｋが形成したＹＭＣＫ各色のトナー像が互いに重なり合うように中間転写ベルト１０２上に１次転写されカラートナー像となる。中間転写ベルト１０２がカラートナー像を２次転写ローラー対１０４まで搬送するのに合わせて、給紙カセット１０３から供給された記録シートＳも２次転写ローラー対１０４まで搬送される。
【００１６】
２次転写ローラー対１０４は、中間転写ベルト１０３上のトナー像を記録シートＳ上に静電転写（２次転写）する。トナー像を転写された記録シートＳは、定着装置１０６でトナー像を熱定着された後、機外に排出される。
なお、中間転写ベルト１０２や２次転写ローラー対１０４、定着装置１０６が備える定着ローラー、感光体ドラム１１０、現像装置１１３が備える現像ローラー、１次転写ローラー１１４等は不図示の駆動モーターによって回転駆動される。駆動モーターからの駆動力はクラッチによって伝達、遮断される。また、記録シートＳの搬送等を目的としてソレノイドを用いてもよい。
【００１７】
また、定着装置１０６等からの排熱のために、画像形成装置１０６には機内の暖気を機外に排出するファンも設けられている。
また、制御部１０５は、画像データを保持するためのＨＤＤ（Hard Disk Drive）を接続された制御基板を備えており、不図示の操作パネルによってユーザーに情報を提供したり、指示入力を受け付けたりする。また、制御部１０５は不図示のＬＡＮ（Local Area Network）通信部によってＬＡＮを介して他の装置から印刷ジョブを受け付けたり、不図示のファクシミリ通信部によってファクシミリデータを送受信したりする。
【００１８】
また、前記操作パネルは液晶ディスプレイを備えており、液晶表示のためのバックライトＬＥＤ（Light Emitting Diode）を備えている。
（２）画像形成装置１の動作モード
画像形成装置１は、通常モードと省エネモードとの２種類の動作モードを有している。画像形成装置１は、通常モードにおいては、画像形成を実行することができる。また、省エネモードにおいては、通常モードよりも電力消費が抑制されており、画像形成を実行することはできない。また、後述のように、画像形成以外の実行可能な処理の如何によってさまざまな省エネモードが存在し得る。
【００１９】
（３）電源制御装置１００の構成
次に、電源制御装置１００の構成について説明する。
図２に示されるように、電源制御装置１００は、ＡＣ／ＤＣコンバーター２００及びＤＣ／ＤＣコンバーター３００、４００を備えている。ＡＣ／ＤＣコンバーター２００は、交流電源１２０から交流電力を受電して高電圧（例えば、２４Ｖ）の直流電圧を負荷２０１に給電する。負荷２０１は、例えば、モーターやクラッチ、ソレノイド、ファン等である。
【００２０】
ＤＣ／ＤＣコンバーター３００は、ＡＣ／ＤＣコンバーター２００から高電圧の直流電圧を受電して、中間電圧（例えば、５Ｖ）の直流電圧を負荷３０１に給電する。また、ＤＣ／ＤＣコンバーター４００は、ＤＣ／ＤＣコンバーター３００から中間電圧の直流電圧を受電して低電圧（例えば、３．３Ｖ）の直流電圧を負荷４０１に給電する。ＤＣ／ＤＣコンバーター３００、４００は何れもチョッパー方式のＤＣ／ＤＣコンバーターである。負荷３０１、４０１は、例えば、制御基板や操作パネル、ＨＤＤ等である。
【００２１】
ＡＣ／ＤＣコンバーター２００が備えるブリッジ整流回路Ｄ２１１は、交流電源１２０のＬラインがａ点に接続され、Ｎラインがｂ点に接続されており、交流電力を全波整流する。一次平滑コンデンサーＣ２２１は、ブリッジ整流回路Ｄ２１１のｄ点がプラス端子に接続され、ブリッジ整流回路Ｄ２１１のｃ点がマイナス端子に接続されており、全波整流された電力を平滑化する。
【００２２】
電源制御部２５１は、起動用電源端子が、整流ダイオードＤ２１４及び起動抵抗Ｒ２６１を介して交流電源１２０のＮラインに接続されており、起動用電力の供給を受ける。また、スイッチＳＷ２４１のスイッチング動作により二次巻線２３３側と補助巻線２３４側へ電力供給するため、トランスＴ２３１の一次巻線２３２は一次平滑コンデンサーＣ２２１のマイナス端子との間にスイッチＳＷ２４１を介して並列接続されている。
【００２３】
補助巻線２３４に整流ダイオードＤ２１３を接続した直列回路は、平滑コンデンサーＣ２２３に並列接続されており、整流ダイオードＤ２１３のカソード端子が平滑コンデンサーＣ２２３のプラス端子に接続されている。この並列回路は、電源制御部２５１に並列接続されている。これによって、電源制御部２５１は補助巻線２３４から動作電源の供給を受ける。
【００２４】
二次巻線２３３に整流ダイオードＤ２１２を接続した直列回路は、平滑コンデンサーＣ２２２に並列接続されており、整流ダイオードＤ２１２のカソード端子が平滑コンデンサーＣ２２２のプラス端子に接続されている。この並列回路は、出力電圧監視部２９１に並列接続されており、出力電圧Ａが監視される。出力電圧監視部２９１は、出力電圧Ａと、予め設定された定電圧設定値（以下、「監視レベル」という。）ＬＡと、を比較したフィードバック信号２７１を電源制御部２５１のフィードバック端子に入力する。
【００２５】
電源制御部２５１は、フィードバック信号２７１に応じた電源制御信号２８１をスイッチング素子ＳＷ２４１に入力する。これによって、出力電圧ＡがＰＷＭ（Pulse Width Modulation）制御される。
ＤＣ／ＤＣコンバーター３００は、スイッチング素子ＳＷ３４１と整流ダイオードＤ３１１とを接続した直列回路に、ＡＣ／ＤＣコンバーター２００の出力端子を並列接続することによって、出力電圧Ａを受電する。整流ダイオードＤ３１１は、インダクターＬ３３１と平滑コンデンサーＣ３２１とを接続した直列回路に並列接続されている。更に、平滑コンデンサーＣ３２１は、出力電圧監視部３９１に並列接続されている。このような構成によって、出力電圧Ｂが出力される。
【００２６】
出力電圧監視部３９１は、出力電圧Ｂを監視して、出力電圧Ｂと監視レベルＬＢとを比較したフィードバック信号３７１を電源制御部３５１のフィードバック端子に入力する。電源制御部３５１は、フィードバック信号３７１に応じた電源制御信号３８１をスイッチング素子ＳＷ３４１に入力する。これによって、ＤＣ／ＤＣコンバーター３００の出力電圧Ｂが制御される。
【００２７】
ＤＣ／ＤＣコンバーター４００は、保護ダイオードＤ４１２、スイッチング素子ＳＷ５４１、ＳＷ４４１及び整流ダイオードＤ４１１を接続した直列回路に、ＤＣ／ＤＣコンバーター３００の出力端子を並列接続することによって、出力電圧Ｂを受電する。整流ダイオードＤ４１１は、インダクターＬ４３１と平滑コンデンサーＣ４２１とを接続した直列回路に並列接続されている。更に、平滑コンデンサーＣ４２１は、出力電圧監視部４９１に並列接続されている。このような構成によって、出力電圧Ｃが出力される。
【００２８】
スイッチング素子ＳＷ５４１は、後述するように、制御部１０５からの省エネモード信号５７１によってオンオフされる。
出力電圧監視部４９１は、出力電圧Ｃを監視して、出力電圧Ｃと監視レベルＬＣとを比較したフィードバック信号４７１を電源制御部４５１のフィードバック端子に入力する。電源制御部４５１は、フィードバック信号４７１に応じた電源制御信号４８１をスイッチング素子ＳＷ４４１に入力する。これによって、ＤＣ／ＤＣコンバーター４００の出力電圧Ｃが制御される。
【００２９】
制御部１０５は、省エネモード信号５７１をスイッチング素子５４１、５４２に入力する。スイッチング素子５４２がオンすると、出力電圧ＡがＤＣ／ＤＣコンバーター４００に入力される。出力電圧Ａが出力電圧Ｃよりも高圧であっても、保護ダイオードＤ４１２によって、ＤＣ／ＤＣコンバーター４００からＤＣ／ＤＣコンバーター３００への電流の逆流が防止される。また、スイッチング素子ＳＷ５４１も逆流を防止する。
【００３０】
（４）電源制御装置１００の動作
次に、電源制御装置１００の動作について説明する。電源制御装置１００の動作は、画像形成装置１の動作モードが通常モードであるか、通常モードよりも消費電力が少ない省エネモードであるかによって異なる。
（４−１）通常モードにおける動作
まず、通常モードにおける動作について説明する。通常モードにおいては、スイッチング素子ＳＷ５４１はオンしており、スイッチング素子ＳＷ５４２はオフしている。
【００３１】
通常モードにおいて交流電源１２０からの給電が開始されると、整流ダイオードＤ２１４と起動抵抗Ｒ２６１とを介して電源制御部２５１へ起動用電力が供給される。一方、ブリッジ整流回路Ｄ２１１により全波整流された交流電力は、一次平滑コンデンサーＣ２２１へ供給され、平滑化され、交流電源電圧のピーク電圧の直流電圧が生成される。
電源制御部２５１は、起動用電力を供給されることによって起動されると、トランスＴ２３１のＰＷＭ制御を開始し、二次巻線２３３側及び補助巻線２３４側へ直流電圧を変圧し供給する。
【００３２】
補助巻線２３４へ供給された変圧電圧は整流ダイオードＤ２１３により整流し、平滑コンデンサーＣ２２３により平滑化し、電源制御部２５１の電源電圧として供給される。
二次巻線２３３へ供給された変圧電圧は整流ダイオードＤ２１２により整流され、平滑コンデンサーＣ２２２により平滑化されて、出力電圧Ａとして出力される。出力電圧監視部２９１は出力電圧Ａを監視して、フィードバック信号２７１を電源制御部２５１に入力する。フィードバック信号２７１を受信した電源制御部２５１は出力電圧Ａの電圧レベルが予め設定された定電圧設定値となるようにＰＷＭ制御する。
【００３３】
ＤＣ／ＤＣコンバーター３００は、出力電圧Ａを入力電圧として供給されると、電源制御部３５１によるＰＷＭ制御により出力電圧Ｂを生成する。出力電圧監視部３９１は出力電圧Ｂを監視して、フィードバック信号３７１を電源制御部３５１に入力する。フィードバック信号３７１を入力された電源制御部３５１は出力電圧Ｂの電圧レベルが予め設定された定電圧設定値となるようにＰＷＭ制御する。
【００３４】
ＤＣ／ＤＣコンバーター４００は、出力電圧Ｂを入力電圧として供給されると、電源制御部４５１によるＰＷＭ制御により出力電圧Ｃを生成する。出力電圧監視部４９１は出力電圧Ｃを監視して、フィードバック信号４７１を電源制御部４５１に入力する。フィードバック信号４７１を入力された電源制御部４５１は出力電圧Ｃの電圧レベルが予め設定された定電圧設定値となるようにＰＷＭ制御する。
【００３５】
（４−２）通常モードから省エネモードへの移行時の動作
次に、通常モードから省エネモードへの移行時の動作について説明する。
電源制御装置１００は、制御部１０５から入力される省エネモード信号５７１に従って、通常モードから省エネモードへ移行する。図３に示されるように、制御部１０５は、省エネモード移行時にスイッチング素子ＳＷ５４１、ＳＷ５４２に入力する省エネモード信号５７１をオフ状態からオン状態に切り替える。省エネモード信号５７１がオンされると、スイッチング素子ＳＷ５４１はオフし、ＳＷ５４２はオンする。
【００３６】
スイッチング素子ＳＷ５４１がオフされることによって、ＤＣ／ＤＣコンバーター３００の出力電圧ＢがＤＣ／ＤＣコンバーター４００に入力されるのが停止されると共に、スイッチング素子ＳＷ５４２がオンされることによって、ＡＣ／ＤＣコンバーター２００の出力電圧ＡがＤＣ／ＤＣコンバーター４００に入力される。
このようにすれば、ＤＣ／ＤＣコンバーター３００によって出力電圧Ｂを生成しなくても、ＡＣ／ＤＣコンバーター２００の出力電圧Ａから直接、出力電圧Ｃが生成されるので、ＤＣ／ＤＣコンバーター３００においてスイッチングロスによる効率低下を生じさせることなく、ＤＣ／ＤＣコンバーター４００で出力電圧Ｃを生成することができる。従って、電力消費を低減することができる。
【００３７】
なお、省エネモードにおいて出力電圧Ｂが不要であるような場合であって、従って、ＤＣ／ＤＣコンバーター３００におけるＰＷＭ制御を停止させることによってスイッチングロスを無くすことができるような場合に特に有効である。
また、省エネモードから通常モードに復帰する際には、制御部１０５が省エネモード信号５７１をオン状態からオフ状態に切り替えることによって、スイッチング素子ＳＷ５４１がオンされると共に、スイッチング素子ＳＷ５４２がオフされる。すると、電源制御装置１００は、通常モードの動作に遷移する。
【００３８】
［２］第２の実施の形態
次に、本発明の第２の実施の形態について説明する。第２の実施の形態に係る電源制御装置１００は、上記第１の実施の形態に係る電源制御装置１００と概ね同様の構成を備える一方、動作モードの移行時における動作並びに当該動作を実現するための構成において相違している。以下、主として相違点に着目して説明する。
【００３９】
なお、本明細書においては、実施の形態の間において共通する部材には共通の符号が付されている。また、以下の実施の形態においては、電源制御装置１００の構成図における負荷２０１等の図示が省略されている。
（１）電源制御装置１００の構成
まず、本実施の形態に係る電源制御装置１００の構成について説明する。
【００４０】
図４に示されるように、本実施の形態においては、制御部１０５が出力する省エネモード信号５７１がＡＣ／ＤＣコンバーター２００の出力電圧監視部２９１にも入力される。また、スイッチング素子ＳＷ５４１、５４２にはそれぞれ遅延回路５１１、５１２を介して省エネモード信号５７１が入力される。
他は、第１の実施の形態と同様である。
【００４１】
（２）通常モードから省エネモードへの移行時の動作
次に、通常モードから省エネモードへの移行時の動作について説明する。
通常モードから省エネモードへ移行する際には、制御部１０５は省エネモード信号５７１をオフ状態からオン状態に切り替えて出力電圧監視部２９１並びに遅延回路５１１、５１２に入力する。
【００４２】
本実施の形態においては、出力電圧監視部２９１による出力電圧Ａの監視レベルＬＡは、通常モードでは電圧値Ｖ１、省エネモードではＤＣ／ＤＣコンバーター３００、４００の許容入力電圧範囲内の電圧値Ｖ２になっており、電圧値Ｖ２は電圧値Ｖ１よりも低い。
出力電圧監視部２９１は、省エネモード信号５７１をオンされると、図５に示されるように、出力電圧Ａの監視レベルＬＡを電圧値Ｖ１から電圧値Ｖ２へ切り替える。
【００４３】
一方、省エネモード信号５７１がオンされると、オンされてから時間Ｔ１後に、遅延回路５１１はスイッチング素子ＳＷ５４１をオフし、遅延回路５１２はＳＷ５４２をオンする。この時間Ｔ１は、ＡＣ／ＤＣコンバーター２００の出力電圧Ａが電圧値Ｖ１から電圧値Ｖ２に低下するまでの時間よりも長くなっている。このため、ＡＣ／ＤＣコンバーター２００の出力電圧Ａが電圧値Ｖ２まで低下してから、スイッチング素子ＳＷ５４１がオフされ、スイッチング素子ＳＷ５４２がオンされる。
【００４４】
このようにすれば、省エネモード時においてＤＣ／ＤＣコンバーター３００、４００の入出力電位差が何れも小さくなるので、電源効率が更に改善される。従って、消費電力を更に低減することができる。
［３］第３の実施の形態
次に、本発明の第３の実施の形態について説明する。第３の実施の形態に係る電源制御装置１００は、上記第２の実施の形態に係る電源制御装置１００と概ね同様の構成を備える一方、図６に示されるように、スイッチング素子ＳＷ５４１及び遅延回路５１１が除外されている点で相違している。以下、主として相違点に着目して説明する。
【００４５】
図７は、本実施の形態における動作モード移行時のタイミングチャートである。上記第２の実施の形態と同様に、通常モードから省エネモードに移行する際、制御部１０５は省エネモード信号５７１をオフ状態からオン状態に切り替える。オンされた省エネモード信号５７１を入力されると、出力電圧監視部２９１は出力電圧Ａの監視レベルＬＡを電圧値Ｖ１から電圧値Ｖ３に切り替える。電圧値Ｖ３は、通常モードにおける監視レベルＬＡの電圧値Ｖ１よりも低く、ＤＣ／ＤＣコンバーター４００の許容入力電圧範囲内の電圧値である。電圧値Ｖ３は、上記第２の実施の形態における電圧値Ｖ２と等しくてもよい。
【００４６】
遅延回路５１２は、省エネモード信号５７１がオンされてから、予め設定された時間Ｔ２後にスイッチング素子ＳＷ５４２をオンする。時間Ｔ２は、省エネモード信号５７１がオンされてからＡＣ／ＤＣコンバーター２００の出力電圧Ａが電圧値Ｖ３まで低下するために要する時間よりも長く設定されている。このため、出力電圧Ａが電圧値Ｖ３まで低下した後、ＤＣ／ＤＣコンバーター３００を迂回するように、スイッチング素子ＳＷ５４２を経由して、当該出力電圧ＡがＤＣ／ＤＣコンバーター４００に入力される。
【００４７】
このようにすれば、上記第２の実施の形態と同様に、省エネモード時においてＤＣ／ＤＣコンバーター３００、４００の入出力電位差が何れも小さくなるので、電源効率が更に改善され、消費電力を更に低減することができる。また、ＤＣ／ＤＣコンバーター３００のスイッチングロスによる効率低下を抑えることができるという意味においても、消費電力を低減できる。
【００４８】
［４］第４の実施の形態
次に、本発明の第４の実施の形態について説明する。第４の実施の形態に係る電源制御装置１００は、上記第３の実施の形態に係る電源制御装置１００と概ね同様の構成を備える一方、図８に示されるように、スイッチング素子ＳＷ５４２が除外されると共に、遅延回路５１２の出力信号がスイッチング素子ＳＷ３４１に入力される点において相違している。以下、主として相違点に着目して説明する。
【００４９】
図９は、本実施の形態における動作モード移行時のタイミングチャートである。上記第３の実施の形態と同様に、通常モードから省エネモードに移行する際、制御部１０５は省エネモード信号５７１をオンする。オンされた省エネモード信号５７１を入力されると、出力電圧監視部２９１は出力電圧Ａの監視レベルＬＡを切り替え、通常モードの電圧値Ｖ１よりも低い省エネモードの電圧値Ｖ３に切り替える。
【００５０】
遅延回路５１２は、省エネモード信号５７１がオンされてから時間Ｔ２後にスイッチング素子ＳＷ３４１をオンする。このようにすれば、スイッチング素子ＳＷ３４１が常時オン状態となるので、ＤＣ／ＤＣコンバーター３００のＰＷＭ制御が停止される。
従って、ＤＣ／ＤＣコンバーター３００におけるスイッチングロスによる効率低下を防止することができる。また、上記第３の実施の形態における電源制御装置１００よりもよりも簡易な構成で同等の効果を得ることができる。
【００５１】
［５］第５の実施の形態
次に、本発明の第５の実施の形態について説明する。第５の実施の形態に係る電源制御装置１００は、上記第２の実施の形態に係る電源制御装置１００に、更にもう１系統のＤＣ／ＤＣコンバーターを追加した構成になっており、２種類の省エネモードに対応する。
（１）電源制御装置１００の構成
まず、電源制御装置１００の構成について説明する。
【００５２】
図１０に示されるように、本実施の形態においては、ＡＣ／ＤＣコンバーター２００の出力電圧ＡがＤＣ／ＤＣコンバーター３００に加えて、ＤＣ／ＤＣコンバーター６００にも入力されており、ＤＣ／ＤＣコンバーター６００の出力電圧Ｄは更にＤＣ／ＤＣコンバーター７００に入力され、出力電圧Ｅが生成される。また、ＡＣ／ＤＣコンバーター２００の出力電圧Ａを、ＤＣ／ＤＣコンバーター６００を迂回して、ＤＣ／ＤＣコンバーター７００に入力するためのスイッチング素子ＳＷ８４２が設けられている。
【００５３】
図１０には、制御部１０５が２つ描かれているが、これは図を見易くするためであり、本実施の形態において制御部１０５は１つだけである。遅延回路８１１、８１２は制御部１０５が出力する省エネモード信号８７１を入力されると、後述のように、所定時間経過後にスイッチング素子ＳＷ８４１、ＳＷ８４２の制御信号を切り替える。
（２）動作モードについて
次に、各動作モードについて説明する。
【００５４】
本実施の形態に係る電源制御装置１００は、２つの省エネモードに対応している。第１の省エネモードは、ＡＣ／ＤＣコンバーター２００の出力電圧Ａを受電する負荷は動作しておらず、供給不要であり、ＤＣ／ＤＣコンバーター３００、４００、６００及び７００の出力電圧Ｂ〜Ｅを受電する負荷は動作しており各出力電圧を出力しなければならない動作モードである。
【００５５】
また、第２の省エネモードは、ＡＣ／ＤＣコンバーター２００の出力電圧Ａ及びＤＣ／ＤＣコンバーター３００、４００の出力電圧Ｂ、Ｃを受電する受電負荷は動作しておらず、供給不要であり、ＤＣ／ＤＣコンバーター６００、７００の出力電圧Ｄ、Ｅを受電する負荷は動作しており各出力電圧を出力しなければならない動作モードである。
（２−１）通常モードにおける給電例
図１１の表は、動作モード毎に給電先を例示する表である。例えば、図１１に示されるように、通常モードにおいては、すべての給電先に給電する。具体的には、ＡＣ／ＤＣコンバーター２００の出力電圧Ａは電圧値２４Ｖで、ＤＣ／ＤＣコンバーター３００、６００に給電される他、モーター、クラッチ、ソレノイド及びファンといった２４Ｖ系の負荷にも給電される。
【００５６】
ＤＣ／ＤＣコンバーター３００の出力電圧Ｂは電圧値５Ｖで、ＤＣ／ＤＣコンバーター４００に給電される他、ファクシミリ通信部（ＦＡＸ）、ＨＤＤ及びバックライトＬＥＤを含む操作パネルにも給電される。ＤＣ／ＤＣコンバーター４００の出力電圧Ｃは電圧値３．３Ｖで、制御部１０５の制御基板に給電される。
ＤＣ／ＤＣコンバーター６００の出力電圧Ｃは電圧値１．８Ｖで、ＤＣ／ＤＣコンバーター７００に給電される他、ＬＡＮ通信部、制御部１０５の制御基板及び操作パネルに給電される。ＤＣ／ＤＣコンバーター７００の出力電圧Ｄは電圧値０．９Ｖで、制御部１０５の制御基板に給電される。
【００５７】
（２−２）第１の省エネモードにおける給電例
第１の省エネモードは、ユーザーがファクシミリ機能を多用することを想定した動作モードであって、２４Ｖ系の負荷（モーター、クラッチ、ソレノイド、ファン）以外の機能は動作状態であり、ファクシミリ受信や操作パネルの操作、プリントジョブの受信を契機として通常モードへ復帰することができる。消費電力は、例えば１０Ｗで、第２の省エネモードよりも多くなるが、２４Ｖ系の負荷を停止させることによって通常モードよりは少なくなるという意味で省エネ効果がある。
【００５８】
図１１の例では、ＡＣ／ＤＣコンバーター２００の出力電圧Ａは電圧値６Ｖまで低下しており、ＤＣ／ＤＣコンバーター３００、４００、６００及び７００にのみ給電され、負荷には給電されない。ＤＣ／ＤＣコンバーター３００、４００、６００及び７００の出力電圧値並びに給電先は通常モードと同様である。
（２−３）第２の省エネモードにおける給電例
第２の省エネモードは、ファクシミリ機能をあまり使用せず、省エネのニーズが高いユーザーを想定した動作モードであって、２４Ｖ系の負荷（モーター、クラッチ、ソレノイド、ファン）及び５Ｖ系の負荷（ＦＡＸ、ＨＤＤ、操作パネルバックライト）以外の機能は動作状態であり、プリントジョブ受信や操作パネルの操作を契機として通常モードへ復帰することができる。消費電力は、例えば３Ｗで、第１の省エネモードよりも少ないので、高い省エネ効果がある。
【００５９】
図１１の例では、ＡＣ／ＤＣコンバーター２００及びＤＣ／ＤＣコンバーター３００、４００の出力電圧は電圧値３Ｖまで低下しており、ＤＣ／ＤＣコンバーター６００にのみ給電され、負荷には給電されない。ＤＣ／ＤＣコンバーター６００、７００の出力電圧値並びに給電先は通常モードと同様である。
以上のように、複数の省エネモードを備えれば、ユーザーの使用環境に合った省エネモードを選択し、使用することが可能となる。また、各省エネモードに合わせて、ＡＣ／ＤＣコンバーターの出力電圧を下げ、ＤＣ／ＤＣコンバーターの接続を切り替えれば、各ＤＣ／ＤＣコンバーターの電源効率を高め、消費電力を低減することができるので、各省エネモードにおいて更なる省エネ効果を得ることができる。
【００６０】
（３）通常モードから省エネモードへの移行時の動作
次に、通常モードから省エネモードへの移行時の動作について説明する。
（３−１）第１の省エネモードへの切替え動作
図１２は、通常モードから第１の省エネモードに移行する際のタイミングチャートである。第１の省エネモードに移行する際には、制御部１０５は、省エネモード信号５７１、８７１を共に通常モード状態から第１の省エネモード状態に切り替える（図１２においては、第１の省エネモード状態をオフ状態からオン状態に切り替えるように表記されている）。
【００６１】
これによって、まず、ＡＣ／ＤＣコンバーター２００の出力電圧監視部２９１の監視レベルＬＡが電圧値Ｖ１から電圧値Ｖ４に切り替わる。その結果、ＡＣ／ＤＣコンバーター２００の出力電圧Ａが電圧値Ｖ１から電圧値Ｖ４まで低下する。ここで、電圧値Ｖ４は、ＤＣ／ＤＣコンバーター３００、４００、６００及び７００の許容入力電圧範囲内に入る電圧値である。
【００６２】
遅延回路５１１、８１１は、省エネモード信号５７１、８７１が第１の省エネモード状態に切り替わってから時間Ｔ３後に、それぞれスイッチング素子ＳＷ５４１、ＳＷ８４１をオフする。時間Ｔ３は、ＡＣ／ＤＣコンバーター２００の出力電圧Ａが電圧値Ｖ１から電圧値Ｖ４まで低下するのに要する時間である。これによって、ＤＣ／ＤＣコンバーター３００、６００からＤＣ／ＤＣコンバーター４００、７００への給電が遮断される。
【００６３】
遅延回路５１２、８１２は、省エネモード信号５７１、８７１が第１の省エネモード状態に切り替わってから時間Ｔ３後に、それぞれスイッチング素子ＳＷ５４２、ＳＷ８４２をオンする。これによって、電圧値Ｖ４まで低下した出力電圧Ａが、ＤＣ／ＤＣコンバーター３００、４００、６００及び７００に給電される。
このようにすれば、ＤＣ／ＤＣコンバーター４００、７００の出力電圧Ｃ、Ｅを生成する際に、ＤＣ／ＤＣコンバーター３００、６００におけるスイッチングロスを回避することできるので、消費電力を削減することができる。
【００６４】
また、第１の省エネモードに移行する際に、ＡＣ／ＤＣコンバーター２００の出力電圧Ａを低下させるので、スイッチング素子ＳＷ４４１、７４１として高耐圧のスイッチング素子を用いる必要が無くなる。従って、部品の低コスト化を図ることができる。
（３−２）第２の省エネモードへの切替え動作
図１３は、通常モードから第２の省エネモードに移行する際のタイミングチャートである。第２の省エネモードに移行する際には、制御部１０５は、省エネモード信号５７１、８７１を共に通常モード状態から第２の省エネモード状態に切り替える（図１３においては、第２の省エネモード状態をオフ状態からオン状態に切り替えるように表記されている）。
【００６５】
すると、ＡＣ／ＤＣコンバーター２００の出力電圧監視部２９１の監視レベルＬＡが電圧値Ｖ１から電圧値Ｖ５に切り替わる。その結果、ＡＣ／ＤＣコンバーター２００の出力電圧Ａが電圧値Ｖ１から電圧値Ｖ５まで低下する。ここで、電圧値Ｖ５は、ＤＣ／ＤＣコンバーター６００及び７００の許容入力電圧範囲内に入る電圧値である。
遅延回路８１１は、省エネモード信号８７１が第２の省エネモード状態に切り替わってから時間Ｔ４後に、スイッチング素子ＳＷ８４１をオフする。時間Ｔ４は、ＡＣ／ＤＣコンバーター２００の出力電圧Ａが電圧値Ｖ１から電圧値Ｖ５まで低下するのに要する時間である。これによって、ＤＣ／ＤＣコンバーター６００からＤＣ／ＤＣコンバーター７００への給電が遮断される。
【００６６】
遅延回路８１２は、省エネモード信号８７１が第２の省エネモード状態に切り替わってから時間Ｔ４後にスイッチング素子ＳＷ８４２をオンする。これによって、電圧値Ｖ５まで低下した出力電圧ＡがＤＣ／ＤＣコンバーター６００及び７００に給電される。
ＤＣ／ＤＣコンバーター３００、４００については、ＡＣ／ＤＣコンバーター２００の出力電圧Ａが、通常モードにおけるＤＣ／ＤＣコンバーター３００、４００の出力電圧Ｂ、Ｃの電圧値よりも低くなると、ＤＣＤＣコンバーター３００、４００の出力電圧Ｂ、ＣはＡＣ／ＤＣコンバーター２００の出力電圧Ａに追随する。
【００６７】
このようにすれば、ＤＣ／ＤＣコンバーター７００の出力電圧Ｅを生成する際に、ＤＣ／ＤＣコンバーター６００におけるスイッチングロスを回避することできるので、消費電力を削減することができる。
また、第２の省エネモードに移行する際に、ＡＣ／ＤＣコンバーター２００の出力電圧Ａを低下させるので、スイッチング素子ＳＷ７４１として高耐圧のスイッチング素子を用いる必要が無くなり、部品の低コスト化を図ることができる。
【００６８】
［６］第６の実施の形態
次に、本発明の第６の実施の形態について説明する。第６の実施の形態に係る電源制御装置１００は、上記第３の実施の形態に係る電源制御装置１００にＤＣ／ＤＣコンバーター７００を追加した構成になっており、２種類の省エネモードに対応する。
（１）電源制御装置１００の構成
まず、本実施の形態に係る電源装置１００の構成について説明する。
【００６９】
図１４に示されるように、ＤＣ／ＤＣコンバーター７００は、通常モードにおいては、ＤＣ／ＤＣコンバーター３００の出力電圧Ｂを受電して、出力電圧Ｅを生成する。
（２）通常モードから省エネモードへの移行時の動作
次に、通常モードから省エネモードへの移行時の動作について説明する。
本実施の形態に係る電源制御装置１００は、２つの省エネモードに対応している。第３の省エネモードは、ＡＣ／ＤＣコンバーター２００及びＤＣ／ＤＣコンバーター３００の出力電圧Ａ、Ｂを受電する負荷は動作しておらず、供給不要であり、ＤＣ／ＤＣコンバーター４００、７００の出力電圧Ｃ、Ｅを受電する負荷は動作しており各出力電圧を出力しなければならない動作モードである。
【００７０】
また、第４の省エネモードは、ＡＣ／ＤＣコンバーター２００の出力電圧Ａ及びＤＣ／ＤＣコンバーター３００、４００の出力電圧Ｂ、Ｃを使用する受電は動作しておらず、供給不要であり、ＤＣ／ＤＣコンバーター７００の出力電圧Ｅを受電する負荷は動作しており各出力電圧を出力しなければならない動作モードである。
（２−１）第３の省エネモードへの切替え動作
図１５は、通常モードから第３の省エネモードに移行する際のタイミングチャートである。第３の省エネモードに移行する際には、制御部１０５は、省エネモード信号５７１、８７１を共に通常モード状態から第３の省エネモード状態に切り替える（図１５においては、第３の省エネモード状態をオフ状態からオン状態に切り替えるように表記されている）。
【００７１】
これによって、まず、ＡＣ／ＤＣコンバーター２００の出力電圧監視部２９１の監視レベルＬＡが電圧値Ｖ１から電圧値Ｖ６に切り替わる。その結果、ＡＣ／ＤＣコンバーター２００の出力電圧Ａが電圧値Ｖ１から電圧値Ｖ６まで低下する。ここで、電圧値Ｖ６は、ＤＣ／ＤＣコンバーター４００及び７００の許容入力電圧範囲内に入る電圧値であって、通常モードでの出力電圧Ａの電圧値Ｖ１よりも低くなっている。
【００７２】
遅延回路５１２、８１２は、省エネモード信号５７１、８７１が第１の省エネモード状態に切り替わってから時間Ｔ５後に、それぞれスイッチング素子ＳＷ５４２、ＳＷ８４２をオンする。時間Ｔ５は、ＡＣ／ＤＣコンバーター２００の出力電圧Ａが電圧値Ｖ１から電圧値Ｖ６まで低下するのに要する時間である。これによって、電圧値Ｖ６まで低下した出力電圧Ａが、ＤＣ／ＤＣコンバーター４００及び７００に給電される。
【００７３】
このようにすれば、ＤＣ／ＤＣコンバーター４００及び７００の出力電圧Ｃ、Ｅを生成する際に、ＤＣ／ＤＣコンバーター３００、６００におけるスイッチングロスを回避することできるので、消費電力を削減することができる。
また、第３の省エネモードに移行する際に、ＡＣ／ＤＣコンバーター２００の出力電圧Ａを低下させるので、スイッチング素子ＳＷ４４１、７４１として高耐圧のスイッチング素子を用いる必要が無くなる。従って、部品の低コスト化を図ることができる。
【００７４】
（２−２）第４の省エネモードへの切替え動作
図１６は、通常モードから第４の省エネモードに移行する際のタイミングチャートである。第４の省エネモードに移行する際には、制御部１０５は、省エネモード信号５７１、８７１を共に通常モード状態から第４の省エネモード状態に切り替える（図１６においては、第４の省エネモード状態をオフ状態からオン状態に切り替えるように表記されている）。
【００７５】
すると、ＡＣ／ＤＣコンバーター２００の出力電圧監視部２９１の監視レベルＬＡが電圧値Ｖ１から電圧値Ｖ７に切り替わる。その結果、ＡＣ／ＤＣコンバーター２００の出力電圧Ａが電圧値Ｖ１から電圧値Ｖ７まで低下する。ここで、電圧値Ｖ７は、ＤＣ／ＤＣコンバーター７００の許容入力電圧範囲内に入る電圧値である。
遅延回路８１２は、省エネモード信号８７１が第４の省エネモード状態に切り替わってから時間Ｔ６後にスイッチング素子ＳＷ８４２をオンする。時間Ｔ６は、ＡＣ／ＤＣコンバーター２００の出力電圧Ａが電圧値Ｖ１から電圧値Ｖ７まで低下するのに要する時間である。これによって、電圧値Ｖ７まで低下した出力電圧ＡがＤＣ／ＤＣコンバーター７００に給電される。
【００７６】
このようにすれば、ＤＣ／ＤＣコンバーター７００の出力電圧Ｅを生成する際に、ＤＣ／ＤＣコンバーター６００におけるスイッチングロスを回避することできるので、消費電力を削減することができる。
また、第４の省エネモードに移行する際に、ＡＣ／ＤＣコンバーター２００の出力電圧Ａを低下させるので、スイッチング素子ＳＷ７４１として高耐圧のスイッチング素子を用いる必要が無くなり、部品の低コスト化を図ることができる。
【００７７】
［８］変形例
以上、本発明を実施の形態に基づいて説明してきたが、本発明が上述の実施の形態に限定されないのは勿論であり、以下のような変形例を実施することができる。
（１）上記実施の形態においてはチョッパー方式のＤＣ／ＤＣコンバーターを用いる場合について説明したが、本発明がこれに限定されないのは言うまでもなく、チョッパー方式のＤＣ／ＤＣコンバーターに代えてスイッチング方式のＤＣ／ＤＣコンバーターを用いてもよい。
【００７８】
（２）上記実施の形態においては、省エネモードにおいてＡＣ／ＤＣコンバーター２００からＤＣ／ＤＣコンバーター３００、６００を迂回してＤＣ／ＤＣ４００、７００に給電する場合を例にとって説明したが、本発明がこれに限定されないのは言うまでもなく、ＡＣ／ＤＣコンバーター２００に代えてＤＣ／ＤＣコンバーターを用いてもよい。
また、本発明は、ＤＣ／ＤＣコンバーター３００、６００のようにＤＣ／ＤＣコンバーターを１つだけ迂回する場合に限定されず、順次次段のＤＣ／ＤＣコンバーターに給電するＤＣ／ＤＣコンバーターの縦続回路を迂回して給電してもよい。
【００７９】
（３）上記実施の形態においては、タンデム型のカラー複合機を例にとって説明したが、本発明がこれに限定されないのは言うまでもなく、タンデム型以外のカラー複合機に本発明を適用してもよいし、モノクロ複合機に適用してもよい。また、プリンター装置や、これにスキャナーを加えた複写装置、更に、ファクシミリ通信機能を備えたファクシミリ装置に本発明を適用しても同様の効果を得ることができる。
【産業上の利用可能性】
【００８０】
本発明に係る電源制御装置及び画像形成装置は、スイッチングロスを低減する装置として有用である。
【符号の説明】
【００８１】
１……………………………画像形成装置
１００………………………電源制御装置
１２０………………………交流電源
２００………………………ＡＣ／ＤＣコンバーター
３００、４００……………ＤＣ／ＤＣコンバーター
１０５………………………制御部
ＳＷ５４１、ＳＷ５４２…スイッチング素子
【図１】
0006515580.tif 000002
【図２】
0006515580.tif 000003
【図３】
0006515580.tif 000004
【図４】
0006515580.tif 000005
【図５】
0006515580.tif 000006
【図６】
0006515580.tif 000007
【図７】
0006515580.tif 000008
【図８】
0006515580.tif 000009
【図９】
0006515580.tif 000010
【図１０】
0006515580.tif 000011
【図１１】
0006515580.tif 000012
【図１２】
0006515580.tif 000013
【図１３】
0006515580.tif 000014
【図１４】
0006515580.tif 000015
【図１５】
0006515580.tif 000016
【図１６】
0006515580.tif 000017